(57)【要約】  【課題】本発明は、カラオケ歌唱に際して複数の楽曲から所望の楽曲を選曲させるカラオケシステム及び選曲目次本に関し、簡便な操作で所望楽曲の選曲の効率化を図り、意匠性を損なわないユースフルとさせることを目的とする。  【解決手段】各楽曲名及びその楽曲コードが対応の各楽曲表示領域に印刷され、楽曲コードと同じ情報のドットコードを対応の楽曲表示領域上に視覚的判別困難で光学的読取自在に所定配列で複数印刷したドットコード領域を形成させた選曲目次本５１を用いて、コード解析手段４３が光学的に読み取ったドットコードから特定した楽曲コードより、ＧＵＩ制御手段４２が選曲内容を予約登録可能に表示部４７で表示させる構成とする。  【選択図】  図１
2008009218.tif 000002
【特許請求の範囲】
【請求項１】
カラオケ演奏対応の複数の楽曲について、少なくとも各楽曲名及びその楽曲コードが各楽曲表示領域のそれぞれに印刷される選曲目次本であり、微小なドットの形成位置情報を最小単位のコードとしてこれを所定数組み合わせたドットコードを対応の楽曲コードと同じ情報で構成し、当該ドットコードを対応の上記楽曲表示領域上の所定部に視覚的判別困難で光学的読取自在に所定配列で複数印刷したドットコード領域を形成させた選曲目次本を用いて、利用者に上記楽曲コード対応の楽曲を選曲させるカラオケシステムであって、
前記楽曲コードと前記ドットコードが関連付けられたテーブルを備え、前記光学的に読み取られた前記ドットコードから上記テーブルを参照して楽曲コードを特定するコード解析手段と、
前記特定した楽曲コードから選曲内容を予約登録可能に表示させる表示制御手段と、
を有することを特徴とするカラオケシステム。
【請求項２】
カラオケ演奏対象の複数の楽曲から所望の楽曲を選曲させる請求項１記載のカラオケシステムで使用される選曲目次本であって、
少なくとも各楽曲名及びその楽曲コードが各楽曲表示領域のそれぞれに印刷され、微小なドットの形成位置情報を最小単位のコードとしてこれを所定数組み合わせたドットコードを対応の楽曲コードと同じ情報で構成し、当該ドットコードを対応の上記楽曲表示領域上の所定部に視覚的判別困難で光学的読取自在に所定配列で複数印刷したドットコード領域を形成させることを特徴とする選曲目次本。
【発明の詳細な説明】
【技術分野】
【０００１】
本発明は、カラオケ歌唱に際して複数の楽曲から所望の楽曲を選曲させる通信又はスタンドアローンのカラオケシステム及び選曲目次本に関する。
【背景技術】
【０００２】
近年、カラオケシステムの高性能化、選曲の高速化が進む中で、選曲対象の楽曲数も増大化してきている。このようなシステムでは、選曲に際して簡便化が望まれ、特に機械操作の苦手な利用者に対する操作容易化が望まれると共に、選曲で使用される選曲目次本の意匠性、印刷省スペース化が望まれる。
【０００３】
従来、カラオケシステムでは楽曲検索機能が組み込まれているのが一般的であり、選曲にあたって選曲表示画面上で階層化された検索経路をたどって所望の楽曲にたどり着くしくみのものが多い。このような楽曲検索は機械操作の不慣れな利用者にとって選曲しにくいことから、選曲目次本から所望楽曲を選曲させることをも併存させている。選曲目次本にはアーチスト名、当該アーチスト名の所定数の楽曲、楽曲コード等が印刷されており、利用者が所望の楽曲に付随された楽曲コードをカラオケシステムに入力することで選曲させるものである。
【０００４】
一方で、選曲目次本から選曲させる場合に楽曲コードを入力するという操作も煩わしさがある。そこで、このような煩わしさを解消する選曲目次本が以下の特許公報で提案されている。
【０００５】
【特許文献１】特開平０９−２１８６８８号公報
【０００６】
上記特許文献で提案されている選曲目次本は、上記楽曲や楽曲コードが印刷される他に、当該楽曲コードと同じ情報のバーコードを並べて印刷しておくもので、選曲にあたって利用者がバーコードリーダでスキャンすることによって所望の楽曲を選択、予約させるというものである。
【発明の開示】
【発明が解決しようとする課題】
【０００７】
しかしながら、バーコードは主に商品や伝票等に施されるものとのイメージから、冊子と観念される選曲目次本にバーコードを印刷することは意匠性を損なうという問題があると共に、歌唱対象の楽曲が増大する中でバーコードを印刷するスペースを必要としてページ数の増大や印刷文字の縮小化を招き、使い勝手が悪くなるという問題がある。
【０００８】
そこで、本発明は上記課題に鑑みなされたもので、簡便な操作で所望楽曲の選曲の効率化を図り、意匠性を損なわないユースフルなカラオケシステム及び選曲目次本を提供することを目的とする。
【課題を解決するための手段】
【０００９】
上記課題を解決するために、請求項１の発明では、カラオケ演奏対応の複数の楽曲について、少なくとも各楽曲名及びその楽曲コードが各楽曲表示領域のそれぞれに印刷される選曲目次本であり、微小なドットの形成位置情報を最小単位のコードとしてこれを所定数組み合わせたドットコードを対応の楽曲コードと同じ情報で構成し、当該ドットコードを対応の上記楽曲表示領域上の所定部に視覚的判別困難で光学的読取自在に所定配列で複数印刷したドットコード領域を形成させた選曲目次本を用いて、利用者に上記楽曲コード対応の楽曲を選曲させるカラオケシステムであって、前記楽曲コードと前記ドットコードが関連付けられたテーブルを備え、前記光学的に読み取られた前記ドットコードから上記テーブルを参照して楽曲コードを特定するコード解析手段と、前記特定した楽曲コードから選曲内容を予約登録可能に表示させる表示制御手段と、を有する構成とする。
【００１０】
請求項２の発明では、カラオケ演奏対象の複数の楽曲から所望の楽曲を選曲させる請求項１記載のカラオケシステムで使用される選曲目次本であって、少なくとも各楽曲名及びその楽曲コードが各楽曲表示領域のそれぞれに印刷され、微小なドットの形成位置情報を最小単位のコードとしてこれを所定数組み合わせたドットコードを対応の楽曲コードと同じ情報で構成し、当該ドットコードを対応の上記楽曲表示領域上の所定部に視覚的判別困難で光学的読取自在に所定配列で複数印刷したドットコード領域を形成させる構成とする。
【発明の効果】
【００１１】
本発明によれば、カラオケ演奏対応の複数の楽曲について、少なくとも各楽曲名及びその楽曲コードが各楽曲表示領域のそれぞれに印刷され、微小なドットの形成位置情報を最小単位のコードとしてこれを所定数組み合わせたドットコードを対応の楽曲コードと同じ情報で構成し、当該ドットコードを対応の上記楽曲表示領域上の所定部に視覚的判別困難で光学的読取自在に所定配列で複数印刷したドットコード領域を形成させた選曲目次本を用いて、光学的に読み取られた前記ドットコードからテーブルを参照して特定した楽曲コードから選曲内容を予約登録可能に表示させることにより、簡便な操作で所望楽曲の選曲が可能となって選曲の効率化を図ることができ、用いられる選曲目次本には視覚的判別困難なドットコードが印刷されることから意匠性を損なうことなく、また、特別な印刷領域を不要として省スペース化が図られ、ユースフルな選曲目次本とすることができるものである。
【発明を実施するための最良の形態】
【００１２】
以下、本発明の最良の実施形態を図により説明する。本実施形態では、カラオケシステムをスタンドアローンのカラオケ機能を備えるものとして示すが、通信カラオケシステムについても適用することができるものである。
【００１３】
図１に、本発明に係るカラオケシステムのブロック構成図を示す。図１（Ａ）に示すカラオケシステム１１は、主要装置としてのカラオケ装置１２及び遠隔入出力端末１３を有する。カラオケ装置１２は、バス２１、中央制御部２２、ＲＯＭ２３、ＲＡＭ２４、ＲＡＭ２４の領域に形成される予約管理記憶部２５、再生制御部２６、音楽曲出力部２７、送受信部２８及び楽曲ＤＢ（データベース）２９を適宜備える。また、当該カラオケ装置１２に有線及び無線で外部接続されるものとして、映像表示部３１、ミキシングアンプ３２、マイク３３及びスピーカ３４を備える。なお、上記各構成について、本発明の要旨と直接関連しない要素部分であっても、従前のカラオケ装置においても大部分が適用可能であることを示すために、装置全体を説明する。
【００１４】
中央制御部２２は、このシステムを統括的に処理制御する物理的なＣＰＵであり、ＲＯＭ２３に記憶されているプログラムに基づくアルゴリズム処理を行う。また、中央制御部２２には、当該システムを統括的に制御処理する他に、図示しない表示ファイル作成手段のプログラムが含まれる。上記ＲＡＭ２４は、種々のプログラムを展開、実行させるための作業領域としての役割を有し、ここでは利用者により選曲された楽曲を当該楽曲コードで順番に予約記憶する予約管理記憶部２５の領域を有するものであり、例えば半導体メモリで構成され、仮想的にハードディスク上に構築される場合をも含む概念である。
【００１５】
上記再生制御部２６は、演奏時に、選択されて楽曲ＤＢ２９より抽出された楽曲データのうちのテロップデータ（歌詞文字データ）を当該楽曲の演奏データに同期させて映像表示部３１に出力する電子回路である。当該映像表示部３１としては例えば、ブラウン管（ＣＲＴ）ディスプレイ、液晶ディスプレイ（ＬＣＤ）、プラズマディスプレイ（ＰＤＰ）等があり、特にハイビジョン化されたディスプレイが宣伝効果映像を表示するものとして好ましい。上記音楽曲出力部２７は、楽曲コードで楽曲ＤＢ２９より抽出された演奏データをデジタル再生し、アナログ変換してミキシングアンプ３２に出力する電子回路である。当該ミキシングアンプ３２は、マイク３３より入力した歌唱者の歌唱音声と、当該音楽曲出力部２７より送られてくる演奏データをミキシングし、増幅してスピーカ３４より出力させるものである。
【００１６】
当該送受信部２８は、図１（Ｂ）で説明する遠隔入出力端末１３との間で有線方式ないし無線方式（ＩＲ方式やブルートゥース機構のピコネット接続方式など）を利用してデータ授受を行うためのもので、そのための回路基板およびプログラムを備える。そして、上記楽曲ＤＢ２９は、演奏データ（ファイル）及びテロップデータ（ファイル）で構成される楽曲データ（ファイル）について楽曲コードをファイル名としてそれぞれ備え、これに付随した例えば歌い出し歌詞のデータ等をそれぞれ備える。
【００１７】
なお、図示しないが、当該カラオケ装置１２には演奏楽曲、歌唱音声に対する種々の調節を行うボタンやツマミ類が可変抵抗器等の電子素子に直結された操作パネルも接続され、当該操作パネルはエコーや左右バランス、スピーカ３４からの出力音量のボリウム等を備える。
【００１８】
一方、上記遠隔入出力端末１３は、図１（Ｂ）に示すように、ユーザインタフェース機能を備えて対応のカラオケ装置１２に対して利用者に楽曲を選択させる機能を主として備えるものであると共に、カラオケ装置１２の送受信部２８との通信で当該カラオケ装置１２とデータ授受の自在なものであって、制御部４１、プログラム格納部に格納されるものとしてのＧＵＩ制御手段４２及びコード解析手段４３、送受信部４６、表示部４７及びコード受信部４８を備える。そして、当該遠隔入出力端末１３に付随するものとしてコード読取部４９が上記コード受信部４８にデータ送信自在に設けられる。ここでは、無線式とするが、有線式であってもよい。
【００１９】
上記制御部４１は、図示しないＲＯＭに格納されているプログラムを実行処理して当該遠隔入出力端末１３を統括的な処理を行うものであり、ＧＵＩ処理手段４２及びコード解析手段４３のプログラムを実行する。ＧＵＩ処理手段４２は、図示しないＲＡＭに展開されるもので、ユーザインタフェース機能として、例えば表示部４７と相俟って液晶ディスプレイ（ＬＣＤ）とタッチセンサとを積層した入出力用を可能とし、表示されるアイコン等に対応して当該タッチセンサにより楽曲の選択などのデータを入力することができるＧＵＩであり、ここではコード解析手段４３で特定した楽曲コードから選曲内容を予約登録可能に表示部４７で表示させる表示制御手段を含む。
【００２０】
上記コード解析手段４３は、所定のドット形成位置情報と最小単位のコードが関連付けられた第１テーブル４４（図４（Ａ）で説明する）を備えると共に、楽曲コードとドットコードが関連付けられた第２テーブル４５（図４（Ｂ）で説明する）を備え、コード受信部４８でコード読取部４９より取得した総てのドット形成位置情報から、含まれるドットコードを構成する一群のドットを特定し、当該特定された一群のドットの形成位置情報から第１テーブル４４を参照してドットコードを特定し、当該特定したドットコードから第２テーブル４５を参照して楽曲コードを特定するプログラムであり、図示しないＲＡＭに展開されて実行される。ここでは、当該第１テーブル４４及び第２テーブル４５を、コード解析手段４３のプログラムの中に含ませる場合としたが、別途メモリ領域に記憶させておくこととしてもよい。
【００２１】
上記送受信部４６は、カラオケ装置１２の送受信部２８との間で有線方式ないし無線方式（ＩＲ方式やブルートゥース機構のピコネット接続方式など）を利用してデータ授受を行うためのもので、そのための回路基板およびプログラムを備える。そして、コード受信部４８は、コード読取部４９が後述する選曲目次本５１の所望楽曲の楽曲表示領域上より読み取った所定エリアにおける総てのドット形成位置情報のイメージ画像を、ここでは無線式（ＩＲ方式やブルートゥース機構のピコネット接続方式など）を利用して取得するためのもので、そのための回路基板およびプログラムを備える。
【００２２】
ここで、上記選曲目次本５１は、一例を図２で説明するが、カラオケ演奏対応の複数の楽曲について、少なくとも各楽曲名及びその楽曲コードが各楽曲表示領域のそれぞれに印刷され、微小なドットの形成位置情報を最小単位のコードとしてこれを所定数組み合わせたドットコードを対応の楽曲コードと同じ情報で構成し、当該ドットコードを対応の上記楽曲表示領域上に視覚的判別困難で光学的読取自在なインキにより所定配列で複数印刷したドットコード領域を形成させたものである。
【００２３】
上記コード読取部４９は、選曲目次本５１の所望の楽曲が印刷された楽曲表示領域上の所定部分でドットコードが含まれるエリアを光学的な読み取りエリアとする（後述する）、例えば赤外線イメージセンサである。
【００２４】
そこで、図２に本発明に係る選曲目次本の内容の概念図を示すと共に、図３に本発明におけるドットコードの原理図を示す。本発明に係る選曲目次本５１は、図２（Ａ）、（Ｂ）に示すように、各ページの台紙６０上に例えばアーチスト名６１、曲名６２、当該曲の楽曲コード６３が印刷インキで印刷されるもので、ここでは曲名欄及び楽曲コード欄を楽曲表示領域とする。この楽曲表示領域上の所定部に当該楽曲コード６３と同じ情報のドットコード領域６４として所定数のドットコードが視覚的判別困難で光学的読取自在なインキにより所定配列で複数印刷されたものである。なお、上記ドットコード領域６４の形成は、必ずしも楽曲表示領域の全部でなくともよく、一部であってもよい。
【００２５】
上記ドットコード領域６４を印刷する視覚的判別困難で光学的読取自在なインキは、例えば従前より知られている赤外線吸収ステルスインキ又はカーボンブラックインキで実現することができる。この場合、上記楽曲表示領域上にアーチスト名６１、曲名６２、当該曲の楽曲コード６３を印刷する印刷インキは、白黒及び多色を問わず、黒色については赤外線吸収性の低いノンカーボンブラックを使用することにより当該ドットコードの誤読を防止することができるものである。ドットコードについては、微小なドットの形成位置情報を最小単位のコードとしてこれを所定数組み合わせたものとして、詳細は特許第３７０６３８５号公報に記載されている。
【００２６】
すなわち、図３（Ａ）に示すように、ドットコード７１は、キードット７２の周辺に格子ドット７３を例えば５×５で設けてこれを１６のブロック１〜１６とし、各ブロックに情報ドット７４をそれぞれ配置させたものである。この場合、格子ドット７３間を例えば１ｍｍとし、各ドットを例えば０．１ｍｍとする。また、当該情報ドット７４は、図３（Ｂ）に示すように、上記各ブロック内で仮想的に定めた中心に対してその形成位置によって情報（ベクトル情報）を持たせている。例えば、仮想中心から所定距離（例えば０．２ｍｍ）で４５度ずつずらせた８つの形成位置（ベクトル位置）でそれぞれ３ビットを最小単位のコード情報としている。この各情報ドット７４を図３（Ａ）の各ブロック１〜１６内に配置させることで４ｍｍ四方の４８ビットのドットコード７１が生成されるものである。
【００２７】
そして、図３（Ａ）に示すドットコード７１を、図２（Ａ）に示す選曲目次本５１の楽曲表示領域に、当該楽曲コード６３と同じ情報を持たせて上記視覚的判別困難で光学的読取自在なインキにより繰り返し配列で印刷されるものである。この場合、楽曲表示領域に上記のようなドットコード７１が所定数形成されたドットコード領域６４に対し、コード読取部４９の読み取りエリアを例えば１０ｍｍ四方とすると、面積的には４つのドットコード７１が認識可能であり、その中で一のドットコード７１が必ず含まれることとなる。したがって、上記楽曲表示領域の一点をコード読取部４９で読み取りを行えば一のドットコード７１が確実に読み取られることとなるものである。
【００２８】
ここで、図４に、コード解析手段の備える第１テーブル及び第２テーブルの一例の概念説明図を示す。図４（Ａ）において、第１テーブル４４は、図３（Ｂ）に示す情報ドット７４を、仮想中心点からのベクトルとして、ベクトル１に対する最小単位コード「０００」から、時計方向に４５度ずつずらせたベクトル８に対する最小単位コード「１１１」までを対応付けたテーブルであり、ベクトル１〜ベクトル８は上記コード解析手段４３が図形認識して特定する。
【００２９】
また、図４（Ｂ）において、第２テーブル４５は、例えば上記のような４８ビットのドットコード７１を、楽曲コードと対応付けたテーブルである。換言すれば、図２に示す選曲目次本５１における楽曲表示領域に形成されるドットコード領域６４のドットコード７１は、楽曲コード毎に対応させて、図３（Ａ）に示すような形態で構成させるものである。
【００３０】
そこで、図５に図２の選曲目次本で選曲する場合の処理フローチャートを示すと共に、図６に選択した楽曲内容表示の説明図を示す。まず、図１に示すカラオケシステム１１のカラオケ装置１２が起動され、遠隔入出力端末１３も起動されている状態で、利用者が選曲目次本５１の所定ページを開き、所望の歌唱楽曲について、その楽曲名６３及び楽曲コード６３の楽曲表示領域上のドットコード領域６４の一点をコード読取部４９で読み取りを行うと、読み取った所定数のドットコード７１を含んだドット形成位置情報のイメージ画像が送信されて遠隔入出力端末１３のコード受信部４６が取得する（ステップ（Ｓ）１）。
【００３１】
そこで、コード解析手段４３が、取得された読み取りエリアの総てのドット形成情報のイメージ画像に基づいて、上記図３（Ａ）のキードット７２を特定し、当該キードット７２の周辺に配置された格子ドット７３を特定することで、外側格子ドット７３の範囲内に含まれるドットコード７１を構成する一群のドットを特定する（Ｓ２）。当該特定した一群のドットが図３（Ａ）に示されたドット構成である。
【００３２】
上記ドットコード７１を構成する一群のドットが特定されると、４つの各格子ドット７３で形成されるブロック１〜１６内の各情報ドット７４の形成位置情報から上記ベクトル（１〜８）を特定し、上記図４（Ａ）の第１テーブル４４を参照してそれぞれの情報ドット７４の最小単位コードを特定する（Ｓ３）。続いて、図３（Ａ）に示す各ブロック内において、キードット７２を基準としたブロック１の最小単位コードから、時計方向の外渦巻き状にブロック１６までの各最小単位コードを組み合わせて４８ビットのドットコード７１を特定し、当該特定したドットコードから上記図４（Ｂ）の第２テーブル４５を参照して楽曲コードを特定する（Ｓ４）。
【００３３】
そして、ＧＵＩ制御手段４２が、特定された楽曲コードに基づいて送受信部４６，２８を介してカラオケ装置１２の楽曲ＤＢ２９より当該楽曲に付随する情報を取得して、図６に示すように、選曲された楽曲及びそれに付随する情報を予約登録可能に遠隔入出力端末１３の表示部４７に表示させる（Ｓ５）。利用者が遠隔入出力端末１３の表示画面上で転送ボタンを選択すると当該楽曲コードがカラオケ装置１２に転送され、ＲＡＭ２４の予約管理記憶部２５に記憶されて予約されるものである。
【００３４】
このように、利用者がコード読取部４９により所望楽曲が記載されている楽曲表示領域の一点で読み取りさせることから、機械操作に不慣れな利用者であっても簡便な操作で所望楽曲の選曲が可能となって選曲の効率化を図ることができるものである。また、選曲目次本５１に設けられるドットコード７１を所定数含んだドットコード領域６４を視覚的判別困難で光学的読取自在に印刷させることから、当該選曲目次本５１の意匠性を損なうことがない。さらに、当該ドットコード領域６４を楽曲表示領域上に形成させることから、特別な印刷領域を不要として省スペース化が図られ、ユースフルな選曲目次本とすることができるものである。
【００３５】
なお、遠隔入出力端末１３においては、利用者による選曲を選曲目次本５１で行わせる場合の構成を示したが、これに選曲のための表示画面上から選曲をさせる楽曲検索手段を併せて備えさせることとしてもよい。
【産業上の利用可能性】
【００３６】
本発明のカラオケシステム及び選曲目次本は、主にカラオケ歌唱に際して複数の楽曲から所望の楽曲を選曲させる通信又はスタンドアローンのカラオケ機能を備えるアミューズメント産業上での利用に適する。
【図面の簡単な説明】
【００３７】
【図１】本発明に係るカラオケシステムのブロック構成図である。
【図２】本発明に係る選曲目次本の内容の概念図である。
【図３】本発明におけるドットコードの原理図である。
【図４】コード解析手段の備える第１テーブル及び第２テーブルの一例の概念説明図である。
【図５】図２の選曲目次本で選曲する場合の処理フローチャートである。
【図６】選択した楽曲内容表示の説明図である。
【符号の説明】
【００３８】
１１            カラオケシステム
１２            カラオケ装置
１３            遠隔入出力端末
４３            コード解析手段
４４            第１テーブル
４５            第２テーブル
４８            コード受信部
４９            コード読取部
５１            選曲目次本
６４            ドットコード領域
７１            ドットコード
【図１】
2008009218.tif 000003
【図２】
2008009218.tif 000004
【図３】
2008009218.tif 000005
【図４】
2008009218.tif 000006
【図５】
2008009218.tif 000007
【図６】
2008009218.tif 000008